(57)【特許請求の範囲】
【請求項１】
シリンダに設けたピストンで、シリンダ内を一方の圧力室と他方の圧力室とに区画するとともに、この一方の圧力室を加圧機に接続し、他方の圧力室を測定対象である回路などに接続し、一方の圧力室を加圧したときのピストンの移動量で、測定対象である回路などのリーク量を測定する構成にする一方、上記両圧力室内におけるピストンの受圧面積を等しくしたリーク測定器において、シリンダ内に、ピストンを摺動自在に保持するスリーブを組み込むとともに、このスリーブの両側をシリンダ内に組み込んだカラーで挟んで、スリーブの位置決めをする一方、上記スリーブの内周だけにラビリンス用溝を形成し、しかも、スリーブの開口部分は、拡大開口部とシャープエッジとで二段階にするとともに、シャープエッジを拡大開口部よりも内側にしたリーク測定器。
【発明の詳細な説明】
【０００１】
【発明の属する技術分野】
この発明は、シリンダ内のピストンの移動量で、測定対象である回路などの漏れを検出するためのリーク測定器に関する。
【０００２】
【従来の技術】
この種のリーク測定器として、図２に示すものが従来から知られている。この従来のリーク測定器は、シリンダＣ内に、ピストンＰを摺動自在に保持するためのスリーブ１を組み込むとともに、このスリーブ１の両側をカラー２，３で挟むようにして、シリンダＣ内におけるスリーブ１の位置を固定化している。このようにしたスリーブ１の外周にはシール部材４をはめている。
【０００３】
上記のようにしたスリーブ１に摺動自在にピストンＰを挿入して、シリンダＣを一方の圧力室５と他方の圧力室６とに区画している。このようにしたピストンＰの周囲には、ラビリンス用溝７を形成している。
また、このピストンＰは、その軸線上に検出孔８を形成している。この検出孔８は、一方の圧力室５側だけに開口させている。そして、上記検出孔８の底部を含めた一方の圧力室５側の受圧面積Ｓ1と、他方の圧力室６の受圧面積Ｓ2とを等しくしている。さらに、この検出孔８の開口部分にはセンサー素子からなるセンサー素子９を設けている。
【０００４】
さらに、上記一方の圧力室５側には、検出棒１０を固定しているが、この検出棒１０は上記検出孔８の内径よりも小さくして、それら両者を非接触の状態に保っている。このように非接触状態を保っているので、一方の圧力室５の圧力が検出孔８の底部にも作用することになる。したがって、上記したように両圧力室５，６における受圧面積Ｓ1およびＳ2が等しくなる。
【０００５】
上記検出棒１０にはコア１１を設け、このコア１１と上記センサー素子９とで、非接触のストロークセンサーとしての差動トランスを構成している。また、上記検出棒１０は、シリンダＣの外側に設けた検出器１２と電気的に接続されている。
このようにした差動トランスは、センサー素子９とコア１１との相対位置に応じて誘起電圧が変化するもので、この誘起電圧の変化を検出器１２で検出することによって、ピストンＰの移動量を検出する。
【０００６】
したがって、例えば、一方の圧力室５を図示していない加圧側に接続し、他方の圧力室６を測定対象側に接続したとすると、その測定対象側に漏れがなければ、両圧力室５，６内の圧力が等しくなるが、その理由は次のとおりである。すなわち、一方の圧力室５側の圧力を上昇させたとき、測定対象側に漏れがなければ、ピストンＰは移動できない。このようにピストンＰが移動できないということは、一方の圧力室５側におけるピストンＰに対する作用力と、他方の圧力室６側の反力とが釣り合っていることを意味している。しかも、上記したようにピストンＰの受圧面積Ｓ1とＳ2とが等しいので、ピストンＰに作用する力が、上記のように釣り合っているときには、両圧力室５，６の圧力も等しくなる。
上記のように両圧力室５，６の圧力が等しいときには、測定対象側においても漏れがないことを意味している。
【０００７】
そして、測定対象側で漏れが発生すると、他方の圧力室６内の圧力が、その漏れ量分だけ低くなる。そのためにピストンＰが図面右方向に移動するが、このとき前記差動トランスに、ピストンＰの移動量に応じた誘起電圧が発生する。この誘起電圧を検出器１２で検出して、ピストンＰの移動量すなわち測定対象側の漏れ量を測定する。
【０００８】
【発明が解決しようとする課題】
上記のようにした従来のリーク測定器では、ピストンＰの周囲にラビリンス用溝７を形成しているが、この溝７にコンタミネーションなどが入り込むと、それがそのままスリーブ１内に持ち込まれてしまう。スリーブ１内にコンタミネーションが進入すると、ピストンＰの摺動性が悪くなり、その分、漏れ量の検出精度も落ちてしまうという問題があった。
この発明の目的は、スリーブ内にコンタミネーションなどが入りにくい構造にして、漏れ量の検出精度が落ちるのを防止したリーク検出器を提供することである。
【０００９】
【課題を解決するための手段】
この発明は、シリンダに設けたピストンで、シリンダ内を一方の圧力室と他方の圧力室とに区画するとともに、この一方の圧力室を加圧機に接続し、他方の圧力室を測定対象である回路などに接続する。そして、一方の圧力室を加圧したときのピストンの移動量で、測定対象である回路などのリーク量を測定する構成にする一方、上記両圧力室内におけるピストンの受圧面積を等しくする。さらに、シリンダ内に、ピストンを摺動自在に保持するスリーブを組み込むとともに、このスリーブの両側を、シリンダ内に組み込んだカラーで挟んで、スリーブの位置決めをする。このようにした上記スリーブの内周だけにラビリンス用溝を形成し、しかも、スリーブの開口部分は、拡大開口部とシャープエッジとで二段階にするとともに、シャープエッジを拡大開口部よりも内側にした点に特徴を有する。
【００１０】
【発明の実施の形態】
図１に示した実施例は、スリーブ１の内周だけに、ラビリンス用溝１３を形成している。なお、スリーブ１の内周面だけとは、ピストンＰ側にラビリンス用溝を形成していないことを意味し、特許請求の範囲においても同意義で使用している。
さらに、スリーブ１に形成した検出孔８の開口は、その外側を拡大開口部１４とするとともに、拡大開口部１４よりも内側にシャープエッジ１５を形成している。つまり、スリーブ１の開口部分は、拡大開口部１４とシャープエッジ１５とで二段階にするとともに、シャープエッジ１５を拡大開口部１４よりも内側にしている。
【００１１】
なお、上記シャープエッジとは、その部分の角度を限りなく９０度に近づけた状態のことである。そして、上記拡大開口部１４の直径はピストンＰの外径よりも大きくし、ピストンをスリーブに挿入するとき、ピストンＰと拡大開口部１４とがぶつからないようにしている。
また、上記のようにシャープエッジ１５を、拡大開口部１４よりも内側に形成したので、シャープエッジ１５に外部のものが当たって、そのエッジが欠けたりしない。
そして、シャープエッジを９０度に限りなく近づければ、ピストンＰの外周に付着したコンタミネーションなどを、このエッジで排除して、それがスリーブ１内に侵入するのを防止できる。
【００１２】
上記のようにこの発明の実施例によれば、検出孔８にシャープエッジ１５を形成しているので、圧力室５あるいは６にあるコンタミネーションが、スリーブ１に侵入しようとしても、上記シャープエッジ１５でそれが阻止される。
また、ピストンＰには、ラビリンス用溝を形成していないので、このピストンＰの全表面を、シャープエッジがなめるようにして摺動することになる。したがって、ピストンＰにコンタミネーションが付着していても、それは確実に排除されることになる。
【００１３】
【発明の効果】
この発明のリーク測定器によれば、スリーブ内にコンタミネーションなどが侵入したりしない。そのために、このスリーブに摺動自在に挿入したピストンの摺動性が悪くなったりしない。このようにピストンの摺動性が安定しているので、いつも一定の検出精度を保つことができる。
また、ピストンをスリーブに挿入する組み付け時に、それら両者がぶつかって、シャープエッジを傷つけたりしない。
【図面の簡単な説明】
【図１】断面図である。
【図２】従来のリーク測定器の断面図である。
【符号の説明】
Ｃ      シリンダ
Ｐ      ピストン
１      スリーブ
５      一方の圧力室
６      他方の圧力室
８      検出孔
９      素子としてのセンサー素子
１０      検出棒
１３      ラビリンス用溝
１４      拡大開口部
１５      シャープエッジ
【図１】
0003742740.tif 000002
【図２】
0003742740.tif 000003